(57)【要約】【課題】一部が共通する複数の搬送経路を有する構成において、別々の搬送経路に沿って搬送された原稿同士の衝突を抑制すること。【解決手段】画像読取装置では、起動時に電源スイッチが押圧され、装置の電源をオフさせるための電源オフ命令が入力されると（Ｓ２：ＹＥＳ）、カードＦセンサ及びシートＦセンサの状態を確認する（Ｓ８、Ｓ１０）。そして、少なくとも一方のＦセンサがオンしており、各Ｆセンサに対応する原稿の導入口に原稿が挿入されていると判断される場合には（Ｓ８：ＹＥＳ、Ｓ１０：ＹＥＳ）、装置の電源をオフしない。一方、両方のＦセンサがオフしており、各Ｆセンサに対応する原稿の導入口に原稿が挿入されていないと判断される場合には（Ｓ８：ＮＯ、Ｓ１０：ＮＯ）、低圧電源部に電力の供給を停止させる信号を出力し（Ｓ１６）、装置の電源をオフする。【選択図】図５
2015002521.tif 000002
【特許請求の範囲】
【請求項１】
第１導入部から第１排出部まで延びる第１搬送経路と、前記第１導入部と異なる第２導入部から第２排出部まで延びる第２搬送経路であって一部が前記第１搬送経路と共用する前記第２搬送経路とに設けられたローラを有し、前記ローラを回転させる搬送動作を実行する搬送部と、
前記第１搬送経路及び前記第２搬送経路上に存在する原稿を検出するセンサと、
操作部と、
制御部と、
前記制御部に電力を供給する電源部と、
を備え、
前記制御部は、
前記操作部から電源オフの命令を受け付けた際に、前記センサの検出結果を取得する取得処理と、
前記取得処理によって原稿が存在しないことを示す否定検出結果が取得された場合に、前記電源部に前記制御部への電力供給停止を指示する電源オフ処理と、
を実行する原稿搬送装置。
【請求項２】
請求項１記載の原稿搬送装置であって、
前記制御部は、
更に、
前記電源部からの電力供給時に前記搬送部に搬送動作を実行させる搬送処理、
を実行する、原稿搬送装置。
【請求項３】
請求項２記載の原稿搬送装置であって、
前記制御部は、前記取得処理において、前記搬送処理中に前記操作部から電源オフの命令を受け付けた場合、搬送動作を停止させてから、前記センサの検出結果を取得する、原稿搬送装置。
【請求項４】
請求項２記載の原稿搬送装置であって、
前記制御部は、
前記電源部からの電力供給時に前記操作部から搬送命令を受け付けた場合に、前記搬送処理を実行し、
更に、
前記操作部から搬送命令を受け付けるのを待機する待機処理、
を実行し、
前記取得処理において、前記待機処理中に前記操作部から電源オフの命令を受け付けた際に、前記センサの検出結果を取得する、原稿搬送装置。
【請求項５】
請求項４記載の原稿搬送装置であって、
更に、
表示部、
を備え、
前記センサは、前記第１導入部及び前記第２導入部に存在する原稿を検出する導入部センサを含み、
前記制御部は、
更に、
前記取得処理によって原稿が存在することを示す肯定検出結果が取得された場合に、前記表示部に対して、前記第１導入部と前記第２導入部の少なくとも一方から原稿を取り除いた後、再度、電源オフを命令する旨の指示を表示させる表示処理、
を実行する、原稿搬送装置。
【請求項６】
請求項５記載の原稿搬送装置であって、
前記第１導入部には、シート原稿が導入され、
前記導入部センサは、前記第１導入部に存在するシート原稿を検出するシートセンサを含み、
前記制御部は、前記表示処理において、
前記シートセンサからシート原稿が存在することを示す肯定検出結果が取得された場合に、前記表示部に対して、前記第１導入部からシート原稿を取り除いた後、再度、電源オフを命令する旨の指示を表示させる、原稿搬送装置。
【請求項７】
請求項５記載の原稿搬送装置であって、
前記第２導入部には、カード原稿が導入され、
前記導入部センサは、前記第２導入部に存在するカード原稿を検出するカードセンサを含み、
前記制御部は、前記表示処理において、
前記カードセンサからカード原稿が存在することを示す肯定検出結果が取得された場合に、前記表示部に対して、前記第２導入部からカード原稿を取り除いた後、再度、電源オフを命令する旨の指示を表示させる、原稿搬送装置。
【請求項８】
請求項７記載の原稿搬送装置であって、
前記第２導入部は、前記原稿搬送装置において前記表示部が設けられた側を前面側とした場合に、前記前面側と逆側の後面側に設けられる、原稿搬送装置。
【請求項９】
請求項２から請求項８のいずれか一項に記載の原稿搬送装置であって、
前記搬送部は、前記第１搬送経路及び前記第２搬送経路に沿って配置された複数のローラと、前記複数のローラへの動力の伝達に共用されるモータを有する、原稿搬送装置。
【請求項１０】
請求項２から請求項９のいずれか一項に記載の原稿搬送装置と、
前記第１搬送経路と前記第２搬送経路との共用搬送経路上の読取位置に設けられ、前記読取位置で画像を読み取る画像読取部と、
を備え、
前記制御部は、前記搬送処理において、
前記搬送部の搬送動作によって前記読取位置に搬送される原稿の画像を読み取らせる、画像読取装置。
【発明の詳細な説明】
【技術分野】
【０００１】
搬送経路に沿って原稿を搬送する技術に関し、詳しくは、一部が共通する複数の搬送経路を有する装置において、別々の搬送経路に沿って搬送される原稿同士の衝突を抑制する技術に関する。
【背景技術】
【０００２】
原稿を自動搬送しながら当該原稿を読み取るタイプの装置がある（例えば、特許文献１）。このタイプの装置では、原稿の自動搬送中に異常が発生し、装置の電源をオフする際に、装置内に原稿が残ることがある。そのため、原稿の自動搬送中に装置の電源をオフする際には、装置内に原稿が残っているかを確認し、原稿が残っている場合には、装置の電源をオフするに先立って、装置内に残る原稿を全て排出する技術が開示されている。この技術によれば、装置の電源をオフする際に装置内に原稿が残されることが抑制され、装置の電源が再度オンされた場合に、装置内に残された原稿と、新たに搬送される原稿が衝突することが抑制される。
【先行技術文献】
【特許文献】
【０００３】
【特許文献１】特開２００６−２１７５１４号公報
【発明の概要】
【発明が解決しようとする課題】
【０００４】
ところで、装置内に残る原稿を排出するタイミングは、装置の電源をオフする際に限らず、装置の電源を再度オンする際に行われてもよい。この場合、装置の電源をオンする際に、搬送経路に沿って配置されたローラを所定距離分回転させ、原稿を排出するようにする。
【０００５】
しかし、これらの装置では、例えば原稿が搬送されるための搬送経路が複数存在し、これらの搬送経路の一部が合流等により互いに共用する構造である場合、合流する搬送経路において、異なる導入部から導入された原稿同士が衝突し、破損してしまう問題が生じる。
【０００６】
本明細書では、一部が共通する複数の搬送経路を有する構成において、別々の搬送経路に沿って搬送された原稿同士の衝突を抑制する技術を開示する。
【課題を解決するための手段】
【０００７】
本明細書によって開示される原稿搬送装置は、第１導入部から第１排出部まで延びる第１搬送経路と、前記第１導入部と異なる第２導入部から第２排出部まで延びる第２搬送経路であって一部が前記第１搬送経路と共用する前記第２搬送経路とに設けられたローラを有し、前記ローラを回転させる搬送動作を実行する搬送部と、前記第１搬送経路及び前記第２搬送経路上に存在する原稿を検出するセンサと、操作部と、制御部と、前記制御部に電力を供給する電源部と、を備え、前記制御部は、前記操作部から電源オフの命令を受け付けた際に、前記センサの検出結果を取得する取得処理と、前記取得処理によって原稿が存在しないことを示す否定検出結果が取得された場合に、前記電源部に前記制御部への電力供給停止を指示する電源オフ処理と、を実行する。
【０００８】
この原稿搬送装置では、原稿を搬送するための２つの搬送経路を有し、これらの搬送経路の一部が共有する構成において、電源オフの命令を受け付けた際に、センサを用いて搬送経路に原稿が残っているかを確認する。そして、原稿が残っていない場合に電源部に制御部への電力供給停止を指示する。つまり、電源部に電力供給停止が指示された場合には、搬送経路に原稿が残っていないことから、例え電源部に電力供給停止が指示された後に、或は、制御部に再度、電力が供給され始める際に、搬送部により搬送動作が実行されたとしても、当該搬送動作により別々の搬送経路に沿って搬送された原稿同士が衝突することを抑制することができる。
【０００９】
また、上記の原稿搬送装置では、前記制御部は、更に、前記電源部からの電力供給時に前記搬送部に搬送動作を実行させる搬送処理、を実行する構成としても良い。
【００１０】
この原稿搬送装置では、制御部の搬送処理により搬送動作が実行されたとしても、当該搬送動作により別々の搬送経路に沿って搬送された原稿同士が衝突することを抑制することができる。
【００１１】
また、上記の原稿搬送装置では、前記制御部は、前記取得処理において、前記搬送処理中に前記操作部から電源オフの命令を受け付けた場合、搬送動作を停止させてから、前記センサの検出結果を取得する構成としても良い。
【００１２】
この原稿搬送装置では、搬送処理中に電源オフの命令を受け付けた場合、直ちに原稿の搬送を停止させる。これによって、別々の搬送経路に沿って原稿が搬送され、原稿同士が衝突することを抑制することができる。また、使用者が搬送を望まない原稿が、使用者による原稿オフの命令の入力以降も搬送され続けるのを抑制することができる。
【００１３】
また、上記の原稿搬送装置では、前記制御部は、前記電源部からの電力供給時に前記操作部から搬送命令を受け付けた場合に、前記搬送処理を実行し、更に、前記操作部から搬送命令を受け付けるのを待機する待機処理、を実行し、前記取得処理において、前記待機処理中に前記操作部から電源オフの命令を受け付けた際に、前記センサの検出結果を取得する構成としても良い。
【００１４】
この原稿搬送装置では、原稿を搬送していない待機処理中に電源オフの命令を受け付けた場合でも、センサを用いて搬送経路に原稿が残っているかを確認する。そのため、原稿を搬送している搬送状態においてのみ、センサを用いて搬送経路に原稿が残っているかを確認する場合に比べて、原稿同士が衝突することを確実に抑制することができる。
【００１５】
また、上記の原稿搬送装置では、更に、表示部、を備え、前記センサは、前記第１導入部及び前記第２導入部に存在する原稿を検出する導入部センサを含み、前記制御部は、更に、前記取得処理によって原稿が存在することを示す肯定検出結果が取得された場合に、前記表示部に対して、前記第１導入部と前記第２導入部の少なくとも一方から原稿を取り除いた後、再度、電源オフを命令する旨の指示を表示させる表示処理、を実行する構成としても良い。
【００１６】
待機状態において電源オフの命令を受け付けた場合、原稿は導入部に存在することが多い。この原稿搬送装置では、待機処理中に電源オフの命令を受け付けた場合には、導入部センサを用いて導入部に原稿が残っているか否かを検出し、導入部に原稿が残っている場合には表示部に所定の表示を行う。そして、これに応じて使用者が導入口の原稿を取り除き、再度、原稿オフを命令することで、装置の電源をオフすることができる。
【００１７】
また、上記の原稿搬送装置では、前記第１導入部には、シート原稿が導入され、前記導入部センサは、前記第１導入部に存在するシート原稿を検出するシートセンサを含み、前記制御部は、前記表示処理において、前記シートセンサからシート原稿が存在することを示す肯定検出結果が取得された場合に、前記表示部に対して、前記第１導入部からシート原稿を取り除いた後、再度、電源オフを命令する旨の指示を表示させる構成としても良い。
【００１８】
この原稿搬送装置によれば、シート原稿が第１導入口から取り除かれない状態で装置の電源がオフされるのを抑制することができる。
【００１９】
また、上記の原稿搬送装置では、前記第２導入部には、カード原稿が導入され、前記導入部センサは、前記第２導入部に存在するカード原稿を検出するカードセンサを含み、前記制御部は、前記表示処理において、前記カードセンサからカード原稿が存在することを示す肯定検出結果が取得された場合に、前記表示部に対して、前記第２導入部からカード原稿を取り除いた後、再度、電源オフを命令する旨の指示を表示させる構成としても良い。
【００２０】
この原稿搬送装置によれば、カード原稿が第２導入口から取り除かれない状態で装置の電源がオフされるのを抑制することができる。
【００２１】
また、上記の原稿搬送装置では、前記第２導入部は、前記原稿搬送装置において前記表示部が設けられた側を前面側とした場合に、前記前面側と逆側の後面側に設けられる構成としても良い。
【００２２】
この原稿搬送装置では、第２導入部が装置の後面側に設けられていることから、使用者が、表示部の表示に従って操作を行っている場合、カード原稿の取り除き忘れが発生し易い。この原稿搬送装置によれば、カード原稿の取り除き忘れが発生している間は、装置の電源がオフされないので、使用者はカード原稿の取り除き忘れに気が付くことができる。
【００２３】
また、上記の原稿搬送装置では、前記搬送部は、前記第１搬送経路及び前記第２搬送経路に沿って配置された複数のローラと、前記複数のローラへの動力の伝達に共用されるモータを有する構成としても良い。
【００２４】
この原稿搬送装置では、原稿を搬送するローラを回転させるのに用いるモータが共用されているので、一方の搬送経路に沿って原稿が搬送される際に、他の搬送経路に沿っても原稿が搬送されてしまい、搬送経路の共用部分において、異なる搬送経路に沿って搬送された原稿同士が衝突しやすい。そのため、この原稿搬送装置では、搬送経路に原稿が残っていないと判断される場合に、装置の電源がオフされるので、異なる搬送経路に沿って搬送された原稿同士が衝突することを抑制することができる。
【００２５】
なお、本明細書によって開示される発明は、上記の原稿搬送装置を用いた画像読取装置の形態で実現することができる。この画像読取装置は、上記に記載の原稿搬送装置と、前記第１搬送経路と前記第２搬送経路との共用搬送経路上の読取位置に設けられ、前記読取位置で画像を読み取る画像読取部と、を備え、前記制御部は、前記搬送処理において、前記搬送部の搬送動作によって前記読取位置に搬送される原稿の画像を読み取らせる。
【００２６】
この画像読取装置では、原稿を搬送するための２つの搬送経路を有し、これらの搬送経路が共用する共用搬送経路上の読取位置において原稿を読み取る構成において、別々の搬送経路に沿って搬送された原稿同士が衝突することを抑制することができる。
【発明の効果】
【００２７】
本明細書によれば、一部が共通する複数の搬送経路を有する構成において、別々の搬送経路に沿って搬送された原稿同士の衝突を抑制することができる。
【図面の簡単な説明】
【００２８】
【図１】画像読取装置の概略的な斜視図
【図２】画像読取装置の概略的な断面図
【図３】画像読取装置の概略的な上面図
【図４】画像読取装置の電気的構成を概略的に示すブロック図
【図５】画像読取処理を示すフローチャート
【図６】読取処理を示すフローチャート
【図７】起動処理を示すフローチャート
【発明を実施するための形態】
【００２９】
＜実施形態＞
一実施形態を、図１から図７を用いて説明する。
【００３０】
１．画像読取装置の機械的構成
図１に示すように、画像読取装置１は、給紙トレイ２と、本体部３と、シート導入口７と、シート排出口４と、を含む。画像読取装置１は、使用者からの画像読取命令により給紙トレイ２に載置されたＡ４サイズの普通紙などのシート原稿ＳＨを、矢印５１に示すように、シート導入口７から本体部３へと導入する。そして、画像読取装置１は、シート原稿ＳＨをシート排出口４に搬送するとともに、搬送中のシート原稿ＳＨを本体部３に含まれる読取部２４、２５（図２参照）を用いて読み取る。画像読取装置１は、原稿搬送装置の一例であり、読取部２４、２５は、画像読取部の一例である。また、シート導入口７は、第１導入部の一例であり、シート排出口４は、第１排出部の一例である。
【００３１】
画像読取装置１は、更に、後面側に設けられたカード導入口５と、前面側に設けられたカード排出口６と、を含む。画像読取装置１は、また、使用者からの画像読取命令によりカード導入口５に挿入された名刺などのカード原稿Ｃをカード排出口６に搬送するとともに、搬送中のカード原稿Ｃを読取部２４、２５を用いて読み取る。カード導入口５は、第２導入部の一例であり、カード排出口６は、第２排出部の一例である。
【００３２】
図２に示すように、本体部３には、上面を覆う上面カバー９が設けられている。また、本体部３の内部には、シート導入口７とシート排出口４を接続する第１搬送経路２２Ａ及びカード導入口５とカード排出口６を接続する第２搬送経路２２Ｂが形成されており、これらの搬送経路２２Ａ、２２Ｂの周辺に、給紙ローラ２０と、分離パッド２１と、搬送ローラ２３と、読取部２４、２５の他、シートフロントセンサ（図３参照、以下、シートＦセンサ）６１、カードフロントセンサ（以下、カードＦセンサ）６２、シートリアセンサ（図３参照、以下、シートＲセンサ）６３、カードリアセンサ（以下、カードＲセンサ）６４等の各種センサが設けられている。各種センサは、センサの一例である。
【００３３】
上面カバー９は、軸９Ａを中心として開閉可能に構成されている。上面カバー９を閉位置に変位させることで、シート導入口７が覆われ、図２に示すように、開位置に変位させることで、シート導入口７が開放される。そして、開位置に変位した上面カバー９によって、シート導入口７に導入されるシート原稿ＳＨを載置する給紙トレイ２の後端部が構成される。
【００３４】
また、上面カバー９を閉位置に変位させた状態で、本体部３の第１搬送経路２２Ａよりも上側の可動部８は、軸８Ａを中心として開閉可能に構成されている。図２に実線で示すように、可動部８を閉位置に変位させることで、原稿ＳＨ、Ｃは搬送経路２２Ａ、２２Ｂに沿って搬送され、読取部２４、２５を用いて読み取られる。また、図２に二点鎖線で示すように、可動部８を開位置に変位させることで、画像読取装置１の使用者は、搬送経路２２Ａ、２２Ｂ上の原稿ＳＨ、Ｃを取り出すことができる。
【００３５】
給紙ローラ２０は、駆動モータＭ（図４参照）により回転駆動され、給紙トレイ２に載置されたシート原稿ＳＨに当接し、摩擦力により、給紙トレイ２に載置された複数枚のシート原稿ＳＨを本体部３の内部へと引き込む。分離パッド２１は、摩擦力により、複数枚のシート原稿ＳＨを各シート原稿ＳＨに分離する。給紙トレイ２に載置された複数枚のシート原稿ＳＨは、これらによって、１枚の原稿ＳＨに分離されて本体部３の内部へと引き込まれる。
【００３６】
搬送ローラ２３は、給紙ローラ２０と共用される駆動モータＭにより回転駆動され、本体部３の内部へと引き込まれたシート原稿ＳＨを第１搬送経路２２Ａに沿って搬送する。また、搬送ローラ２３は、矢印５２に示すようにカード導入口５に挿入されたカード原稿Ｃに当接し、当該カード原稿Ｃを第２搬送経路２２Ｂに沿って搬送する。搬送経路２２Ａ、２２Ｂに沿って原稿ＳＨ、Ｃが搬送される方向を搬送方向Ｄ１と称す。
【００３７】
図２に示すように、搬送経路２２Ａ、２２Ｂは、その上流側において、上下方向に分離されている一方、その下流側において、第１搬送経路２２Ａの一部が第２搬送経路２２Ｂの一部を兼ねるように、共通化されている。つまり、第１搬送経路２２Ａと第２搬送経路２２Ｂは、その下流側において一部が共用されている。読取部２４、２５は、共通化された共用搬送経路２２上の読取位置Ｐ１に配置されており、搬送ローラ２３によって共用搬送経路２２内を搬送される原稿ＳＨ、Ｃを読取位置Ｐ１で読み取る。
【００３８】
また、搬送ローラ２３は、共用搬送経路２２上に搬送された原稿ＳＨ、Ｃを排出口４、６に送り出す。つまり、給紙ローラ２０、搬送ローラ２３、駆動モータＭによって、原稿ＳＨ、Ｃを搬送経路２２Ａ、２２Ｂに沿って搬送する搬送部２７（図４参照）が形成されている。給紙ローラ２０及び搬送ローラ２３は、複数のローラの一例である。
【００３９】
第１読取部２４は、共用搬送経路２２の下側に配置され、共用搬送経路２２に沿って搬送される原稿ＳＨ、Ｃの下面を、読取位置Ｐ１において主走査方向Ｄ２に読み取る。また、第２読取部２５は、共用搬送経路２２に沿って上側に配置され、共用搬送経路２２に沿って搬送される原稿ＳＨ、Ｃの上面を、第１読取部２４と同じ読取位置Ｐ１において主走査方向Ｄ２に読み取る。
【００４０】
シートＦセンサ６１は、図３に示すように、給紙トレイ２に対向して配置されるとともに主走査方向Ｄ２において中心線５０近傍に配置される。シートＦセンサ６１は、給紙トレイ２にシート原稿ＳＨが載置され、シート導入口７にシート原稿ＳＨが挿入された場合にオンし、シート導入口７にシート原稿ＳＨが挿入されていない場合にオフすることで、シート導入口７におけるシート原稿ＳＨの有無を検出する。シートＦセンサ６１は、シートセンサの一例である。
【００４１】
カードＦセンサ６２は、第２搬送経路２２Ｂ上のカード導入口５近傍に配置されており、カード導入口５にカード原稿Ｃが挿入された場合にオンし、カード導入口５にカード原稿Ｃが挿入されていない場合にオフすることで、カード導入口５におけるカード原稿Ｃの有無を検出する。つまり、Ｆセンサ６１、６２は、導入口７、５に挿入された原稿ＳＨ、Ｃを検出する導入口センサ、ということができる。カードＦセンサ６２は、カードセンサの一例であり、導入口センサは、導入部センサの一例である。
【００４２】
シートＲセンサ６３は、図３に示すように、共用搬送経路２２において読取位置Ｐ１よりも上流側の検出位置Ｐ２に配置されるとともに主走査方向Ｄ２において中心線５０近傍に配置される。シートＲセンサ６３は、シート原稿ＳＨが共用搬送経路２２上の検出位置Ｐ２を通過する場合にオンし、検出位置Ｐ２を通過していない場合にオフすることで、共用搬送経路２２上のシート原稿ＳＨの有無を検出する。
【００４３】
また、カードＲセンサ６４は、図３に示すように、共用搬送経路２２においてシートＲセンサ６３と同じ検出位置Ｐ２に配置されるとともに主走査方向Ｄ２において右端部に配置される。カードＲセンサ６４は、カード原稿Ｃが共用搬送経路２２上の検出位置Ｐ２を通過する場合にオンし、検出位置Ｐ２を通過していない場合にオフすることで、共用搬送経路２２上のカード原稿Ｃの有無を検出する。
【００４４】
また、本体部３には、この他に、前面側に設けられたタッチパネル２６を含む。タッチパネル２６は、例えば、液晶表示部（ＬＣＤ）を含み、画像読取装置１の状況を表示する。この場合、タッチパネル２６は表示部２８（図４参照）として機能する。上面カバー９には、タッチパネル２６に対応する位置に開口６６が設けられており、上面カバー９が閉状態であってもタッチパネル２６を外部に露出させている。また、タッチパネル２６には、電源スイッチ３０などの各種ボタンが表示されており、使用者からの各種命令を受け付ける。この場合、タッチパネル２６は操作部２９（図４参照）として機能する。
【００４５】
２．画像読取装置の電気的構成
図４に示すように、画像読取装置１は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）１１と、ＲＯＭ１２と、ＲＯＭ１３と、低圧電源部１７と、電源供給部１８と、を備え、これらに読取部２４、２５、各種センサ６１〜６４等が接続されている。図４に一点鎖線１９で示すように、ＡＳＩＣ１１と、ＲＯＭ１２と、ＲＯＭ１３と、電源供給部１８とは、同一の基板上に設けられている。また、図４に実線１０で示すように、ＡＳＩＣ１１と、ＲＯＭ１２と、ＲＯＭ１３とを含めたものが、制御部の一例である。
【００４６】
ＡＳＩＣ１１は、ＣＰＵ１４を含む他、電源スイッチ検出回路１６、画像処理回路１５等の専用のハード回路を含む。ＲＯＭ１２には、画像読取装置１の動作を制御するための各種のプログラムが記憶されており、ＣＰＵ１４は、ＲＯＭ１２から読み出したプログラムに従って各部の制御を行うとともに、必要に応じてハード回路を用いて後述する画像読取処理等の処理を実行する。
【００４７】
低圧電源部１７は、ＡＣ１００Ｖ電源に接続され、当該電源からＡＣ１００Ｖで供給される電力を例えばＤＣ６Ｖに変換し、電源供給部１８等に出力する。電源供給部１８は、低圧電源部１７から供給されるＤＣ６Ｖの電力を例えばＤＣ３．３Ｖの電力に変換し、ＡＳＩＣ１１や読取部２４、２５等に出力する。低圧電源部１７及び電源供給部１８は、電源部の一例である。
【００４８】
電源スイッチ検出回路１６は、操作部２９の電源スイッチ３０に接続されており、電源スイッチ３０を介して、使用者から画像読取装置１の電源をオンする電源オン命令、或は、画像読取装置１の電源をオフする電源オフ命令が入力されたか否かを検出する。電源スイッチ検出回路１６は、また、低圧電源部１７に接続されており、使用者から電源オン命令が入力されると、低圧電源部１７に電源供給部１８への電力の供給を許可する信号を出力する。また、使用者から電源オフ命令が入力されると、低圧電源部１７に電源供給部１８への電力の供給を停止させる信号を低圧電源部１７に出力する。
【００４９】
搬送部２７は、ＣＰＵ１４からの命令に基づいて、駆動モータＭから各種ローラに動力を伝達して各種ローラを共通に回転させる搬送動作を実行し、原稿ＳＨ、Ｃを搬送する。読取部２４、２５は、ＣＰＵ１４からの命令に基づいて、搬送部２７によって搬送される原稿ＳＨ、Ｃを読み取り、読み取った読取画像データをＲＯＭ１３に記憶する。画像処理回路１５は、ＲＯＭ１３に記憶された読取画像データに対して、２値化処理やエンハンス処理等の補正処理を行い、補正後の読取画像データを再び、ＲＯＭ１３に記憶する。
【００５０】
３．画像読取処理
次に、図５、図６を参照して、原稿ＳＨ、Ｃの画像を読み取る画像読取処理について説明する。低圧電源部１７が商用電源に接続され、操作部２９を介して使用者から電源オン命令が入力されると、低圧電源部１７及び電源供給部１８を介してＡＳＩＣ１１等に電力が供給され、画像読取装置１の電源がオンし、ＣＰＵ１４は、画像読取処理を開始する。
【００５１】
図５に示すように、ＣＰＵ１４は、処理を開始すると、操作部２９を介して使用者から電源オフ命令と画像読取命令のいずれか一方が入力されるのを待機する（Ｓ２、Ｓ４）。ＣＰＵ１４は、電源オフ命令が入力される前に画像読取命令が入力されると（Ｓ２：ＮＯ、Ｓ４：ＹＥＳ）、読取処理を実行する（Ｓ６）。画像読取命令は、搬送命令の一例であり、読取処理は、搬送処理の一例である。
【００５２】
（読取処理）
図６に示すように、読取処理において、ＣＰＵ１４は、まず、Ｆセンサ６１、６２の状態を確認し（Ｓ２２〜Ｓ２６）、使用者によってシート原稿ＳＨとカード原稿Ｃのいずれが対応する導入口５、７に挿入されたかを検出する。ＣＰＵ１４は、Ｆセンサ６１、６２のいずれもがオフしている場合（Ｓ２２：ＮＯ、Ｓ２６：ＮＯ）、シート原稿ＳＨとカード原稿Ｃのいずれもが導入口５、７に挿入されていないと判断する。この場合、ＣＰＵ１４は、Ｓ２２からの処理を繰り返し、使用者によって原稿ＳＨ、Ｃが挿入されるのを待機する。センサがオフ状態である、との検出結果は、否定検出結果の一例である。
【００５３】
一方、ＣＰＵ１４は、カードＦセンサ６２がオフしており、且つ、シートＦセンサ６１がオンしている場合（Ｓ２２：ＮＯ、Ｓ２６：ＹＥＳ）、シート原稿ＳＨのみが対応するシート導入口７に挿入されていると判断する。この場合、ＣＰＵ１４は、カード原稿Ｃを読み取る読取設定を示すカードフラグをオフし（Ｓ２８）、つまり、シート原稿ＳＨを読み取る読取設定とし、搬送部２７に対して各種ローラの回転を指示し、シート原稿ＳＨの搬送を開始させる（Ｓ３４）。センサがオン状態である、との検出結果は、肯定検出結果の一例である。
【００５４】
また、ＣＰＵ１４は、カードＦセンサ６２がオンしており、且つ、シートＦセンサ６１がオフしている場合（Ｓ２２：ＹＥＳ、Ｓ２４：ＮＯ）、カード原稿Ｃのみが対応するカード導入口５に挿入されていると判断する。この場合、ＣＰＵ１４は、カードフラグをオンし（Ｓ３０）、つまり、カード原稿Ｃを読み取る読取設定とし、カード原稿Ｃの搬送を開始させる（Ｓ３４）。
【００５５】
一方、ＣＰＵ１４は、Ｆセンサ６１、６２のいずれもがオンしている場合（Ｓ２２：ＹＥＳ、Ｓ２４：ＹＥＳ）、シート原稿ＳＨとカード原稿Ｃのいずれもが導入口５、７に挿入されていると判断する。この場合、ＣＰＵ１４が搬送部２７を用いて各種ローラの回転を開始させると、シート原稿ＳＨとカード原稿Ｃのいずれもが搬送され、共用搬送経路２２において、シート原稿ＳＨとカード原稿Ｃが衝突し、破損してしまう。
【００５６】
そのため、ＣＰＵ１４は、この場合、搬送部２７に各種ローラを回転させず、つまり、シート原稿ＳＨとカード原稿Ｃとの搬送を開始せずに、表示部２８に、「シート導入口とカード導入口のいずれかの原稿ＳＨ、Ｃを取り除いてください」との旨の表示を指示し（Ｓ３２）、Ｓ２２からの処理を繰り返す。ＣＰＵ１４は、上記表示に応じて使用者がいずれか一方の原稿ＳＨ、Ｃが取り除かれると、上記に従って残された原稿ＳＨ、Ｃの搬送を開始させる（Ｓ３４）。
【００５７】
原稿ＳＨ、Ｃの搬送開始後、ＣＰＵ１４は、Ｒセンサ６３、６４の状態を確認する。ＣＰＵ１４は、カードフラグがオフされている場合、シートＲセンサ６３の状態を確認する。また、カードフラグがオンされている場合、カードＲセンサ６４の状態を確認する。具体的には、ＣＰＵ１４は、読取設定に対応するＲセンサ６３、６４がオンするのを待機し、対応するＲセンサ６３、６４がオンしたのを検出すると、原稿ＳＨ、Ｃの搬送方向Ｄ１における先端が検出位置Ｐ２に到達したと判断する。この場合、ＣＰＵ１４は、搬送方向Ｄ１における検出位置Ｐ２と読取位置Ｐ１との間の距離Ｌ１（図２参照）、更に原稿ＳＨ、Ｃを搬送させた後に読取部２４、２５に対して原稿ＳＨ、Ｃの読み取りを指示し（Ｓ３６）、原稿ＳＨ、Ｃの読み取りを開始する。
【００５８】
原稿ＳＨ、Ｃの読取開始後、ＣＰＵ１４は、操作部２９を介して使用者から電源オフ命令が入力されるのを確認するとともに、Ｒセンサ６３、６４の状態を確認する（Ｓ３８、Ｓ４０）。ＣＰＵ１４は、使用者から電源オフ命令が入力される前に、読取設定に対応するＲセンサ６３、６４がオフしたのを検出すると（Ｓ３８：ＮＯ、Ｓ４０：ＹＥＳ）、原稿ＳＨ、Ｃの搬送方向Ｄ１における後端が検出位置Ｐ２に到達したと判断する。この場合、ＣＰＵ１４は、原稿ＳＨ、Ｃが更に距離Ｌ１搬送された後に読取部２４、２５に対して原稿ＳＨ、Ｃの読取停止を指示し、原稿ＳＨ、Ｃの読み取りを終了する。
【００５９】
原稿ＳＨ、Ｃの読取終了後、ＣＰＵ１４は、搬送方向Ｄ１における読取位置Ｐ１と排出口４、６との間の距離Ｌ２（図２参照）、更に原稿ＳＨ、Ｃを搬送させた後に搬送部２７に対して各種ローラの回転停止を指示し、原稿ＳＨ、Ｃの搬送を停止する（Ｓ４２）とともに、読取処理を終了する。
【００６０】
一方、ＣＰＵ１４は、原稿ＳＨ、Ｃの読み取り及び搬送が終了する前に、使用者から電源オフ命令が入力されると（Ｓ３８：ＹＥＳ、Ｓ４０：ＮＯ）、画像読取装置１の電源をオフするための処理を実行する。当該処理において、ＣＰＵ１４は、まず、読取部２４、２５に対して原稿ＳＨ、Ｃの読取停止を指示し（Ｓ４４）、搬送部２７に対して各種ローラの回転停止を指示する（Ｓ４６）。
【００６１】
次に、ＣＰＵ１４は、表示部２８に「上面カバー及び可動部を開けて原稿を取り除いてください」との旨の表示を指示し（Ｓ４８）、Ｆセンサ６１、６２及びＲセンサ６３、６４の状態を確認する（Ｓ５０、Ｓ５２）。原稿ＳＨ、Ｃの読み取り及び搬送を終了する前に電源オフ命令が入力された場合、搬送開始直後の原稿ＳＨ、Ｃが、対応する導入口５、７に残っていることもあれば、搬送及び読取途中の原稿ＳＨ、Ｃが対応する搬送経路２２Ａ、２２Ｂに残っていることもある。
【００６２】
そのため、ＣＰＵ１４は、Ｆセンサ６１、６２及びＲセンサ６３、６４を用いて、導入口５、７及び搬送経路２２Ａ、２２Ｂに原稿ＳＨ、Ｃが存在するか否かを確認する。この際、ＣＰＵ１４は、全てのＦセンサ６１、６２及び全てのＲセンサ６３、６４の状態を確認してもよければ、読取設定に対応するＦセンサ６１、６２及びＲセンサ６３、６４の状態を確認してもよい。
【００６３】
ＣＰＵ１４は、Ｆセンサ６１、６２及びＲセンサ６３、６４の少なくとも１つがオンしている場合（Ｓ５０：ＹＥＳ、又は、Ｓ５０：ＮＯ、Ｓ５２：ＹＥＳ）、導入口５、７と搬送経路２２Ａ、２２Ｂの少なくとも一箇所に原稿ＳＨ、Ｃが存在すると判断する。この場合、ＣＰＵ１４は、上記表示に応じて使用者が導入口５、７と搬送経路２２Ａ、２２Ｂの全ての箇所から原稿ＳＨ、Ｃを取り除くまで、画像読取装置１の電源をオフすることなく、Ｓ４８からの処理を繰り返す（Ｓ３４）。
【００６４】
一方、ＣＰＵ１４は、Ｆセンサ６１、６２及びＲセンサ６３、６４の全てがオフしている場合（Ｓ５０：ＮＯ、Ｓ５２：ＮＯ）、導入口５、７と搬送経路２２Ａ、２２Ｂのいずれにも原稿ＳＨ、Ｃが存在しないと判断する。この場合、ＣＰＵ１４は、読取処理を中断して図５に示す画像読取処理に戻り、電源スイッチ検出回路１６を用いて低圧電源部１７に電源供給部１８への電力の供給を停止させる信号を出力する（Ｓ１６）。これにより、低圧電源部１７及び電源供給部１８を介したＡＳＩＣ１１等への電力の供給が停止すると、画像読取装置１の電源がオフされ、これにより、画像読取処理を終了する。
【００６５】
また、図５に示すように、画像読取命令が入力される前に電源オフ命令が入力されると（Ｓ２：ＹＥＳ、Ｓ４：ＮＯ）、Ｆセンサ６１、６２の状態を確認する（Ｓ８、Ｓ１０）。原稿ＳＨ、Ｃの読み取り及び搬送を開始する前に電源オフ命令が入力された場合、搬送開始前の原稿ＳＨ、Ｃが、対応する導入口５、７に存在することはあるとしても、搬送及び読取途中の原稿ＳＨ、Ｃが搬送経路２２Ａ、２２Ｂに存在することはない。
【００６６】
そのため、ＣＰＵ１４は、Ｆセンサ６１、６２を用いて、導入口５、７に原稿ＳＨ、Ｃが存在するか否かを確認する。ＣＰＵ１４は、まず、カードＦセンサ６２の状態を確認し（Ｓ８）、カードＦセンサ６２がオンしている場合（Ｓ８：ＹＥＳ）、カード導入口５にカード原稿Ｃが存在すると判断する。この場合、ＣＰＵ１４は、表示部２８に「カード導入口からカード原稿を取り除いた後、再度、電源スイッチをオフしてください」との旨の表示を指示し（Ｓ１２）、Ｓ２からの処理に戻る。
【００６７】
この場合、使用者は、上記表示に応じてカード導入口５からカード原稿Ｃを取り除いただけでは、画像読取装置１の電源をオフすることができない。使用者には、カード導入口５からカード原稿Ｃを取り除いた上で、電源スイッチ３０を押圧し、再度、電源オフ命令を入力することが求められる。
【００６８】
一方、カードＦセンサ６２がオフしている場合（Ｓ８：ＮＯ）、ＣＰＵ１４は、シートＦセンサ６１の状態を確認する（Ｓ１０）。ＣＰＵ１４は、シートＦセンサ６１がオンしている場合（Ｓ１０：ＹＥＳ）、シート導入口７にシート原稿ＳＨが存在すると判断する。この場合、ＣＰＵ１４は、表示部２８に「シート導入口からシート原稿を取り除いた後、再度、電源スイッチをオフしてください」との旨の表示を指示し（Ｓ１４）、Ｓ２からの処理に戻る。
【００６９】
この場合、使用者は、上記表示に応じてシート導入口７からシート原稿ＳＨを取り除いただけでは、画像読取装置１の電源をオフすることができない。使用者には、シート導入口７からシート原稿ＳＨを取り除いた上で、電源スイッチ３０を押圧し、再度、電源オフ命令を入力することが求められる。
【００７０】
一方、シートＦセンサ６１がオフしている場合（Ｓ１０：ＮＯ）、ＣＰＵ１４は、電源スイッチ検出回路１６を用いて低圧電源部１７に電源供給部１８への電力の供給を停止する信号を出力し（Ｓ１６）、画像読取処理を終了する。
【００７１】
４．起動処理
画像読取装置１は、画像読取処理の終了により電源がオフされた後、使用者により電源スイッチ３０が押圧され、電源オン命令が入力されると、起動のための処理を実行する。当該処理において、電源スイッチ検出回路１６は、低圧電源部１７に電源供給部１８への電力の供給を開始させる信号を低圧電源部１７に出力する。これによって、低圧電源部１７及び電源供給部１８を介してＡＳＩＣ１１等への電力の供給が開始されると、ＣＰＵ１４が起動し、上記画像読取処理に先立って起動処理を開始する。
【００７２】
図７に示すように、ＣＰＵ１４は、処理を開始すると、搬送部２７に対して各種ローラの回転を指示し（Ｓ６２）、各種ローラを所定距離分回転させる（Ｓ６４）。ここで、所定距離とは、各種ローラの回転動作の確認に必要な距離を意味する。本実施形態の画像読取装置１では、画像読取装置１の電源がオフされる際に、搬送経路２２Ａ、２２Ｂに原稿ＳＨ、Ｃが存在しないことが確認されていることから、画像読取装置１の起動時に、搬送経路２２Ａ、２２Ｂに原稿ＳＨ、Ｃが存在することはない。そのため、本実施形態の画像読取装置１では、画像読取装置１の起動時に、搬送経路２２Ａ、２２Ｂに残された原稿ＳＨ、Ｃを搬送するために、搬送方向Ｄ１における第１搬送経路２２Ａの長さと、搬送方向Ｄ１における第２搬送経路２２Ｂの長さとのうち、いずれか長い方の長さに相当する距離分、各種ローラを回転させる必要がない。
【００７３】
ＣＰＵ１４は、各種ローラが所定距離分回転するまで（Ｓ６４：ＮＯ）、各種ローラを回転させた状態を維持させる。そして、所定距離分回転すると（Ｓ６４：ＹＥＳ）、ＣＰＵ１４は、搬送部２７に対して各種ローラの回転停止を指示し（Ｓ６６）、起動処理を終了するととももに、画像読取処理を開始する。
【００７４】
４．本実施形態の効果
（１）本実施形態の画像読取装置１では、装置内に２種類の原稿ＳＨ、Ｃを搬送するための２つの搬送経路２２Ａ、２２Ｂが存在し、これらの搬送経路２２Ａ、２２Ｂの一部が下流側において共通化され、共用搬送経路２２が設けられている。このような構造の画像読取装置１では、一般に、原稿ＳＨ、Ｃを読み取る場合、別々の搬送経路２２Ａ、２２Ｂに沿って搬送された原稿ＳＨ、Ｃが、共用搬送経路２２に同時に搬送されないように、シート原稿ＳＨ及びカード原稿Ｃの搬送されるタイミングが厳格に管理される。
【００７５】
しかし、画像読取装置１では、シート原稿ＳＨ及びカード原稿Ｃの搬送されるタイミングが管理できない状況が発生する。例えば、画像読取装置１の起動処理がある。画像読取装置１では、従来より、起動処理において、装置の起動時に搬送に用いる各種ローラを回転させていた。従来の装置では、装置の起動時において、原稿ＳＨ、Ｃが搬送経路２２Ａ、２２Ｂに残っている場合があり、このような場合には、当該各種ローラの回転によって、当該原稿ＳＨ、Ｃを画像読取装置１外に排出することができる。各種ローラの回転は、必ずしも起動処理において実行される必要はなく、画像読取装置１の電源オフ時に実行されてもよい。
【００７６】
従来、画像読取装置１の起動時における各種ローラの回転では、原稿ＳＨ、Ｃの存在を確認することなく、各種ローラを回転させていた。そのため、共用搬送経路２２を有する構造の画像読取装置１の構造では、別々の搬送経路２２Ａ、２２Ｂに沿って搬送された原稿ＳＨ、Ｃが、共用搬送経路２２に同時に搬送され、原稿ＳＨ、Ｃ同士が衝突し、破損することがある。
【００７７】
本実施形態の画像読取装置１では、画像読取装置１の起動時及び電源オフ時よりも前の、使用者から画像読取装置１に電源オフ命令が入力された際に、導入口５、７及び搬送経路２２Ａ、２２Ｂに原稿ＳＨ、Ｃが残っているかを確認する。そして、導入口５、７及び搬送経路２２Ａ、２２Ｂに原稿ＳＨ、Ｃが残っていると判断される場合には、画像読取装置１の電源をオフさせないようにし、導入口５、７及び搬送経路２２Ａ、２２Ｂに原稿ＳＨ、Ｃが残っていないと判断される場合には、画像読取装置１の電源をオフさせるようにする。
【００７８】
これにより、画像読取装置１の電源オフ時には、更には、画像読取装置１の（再）起動時には、導入口５、７及び搬送経路２２Ａ、２２Ｂに原稿ＳＨ、Ｃが残っていない。そのため、画像読取装置１の起動時及び電源オフ時に各種ローラを回転させたとしても、当該各種ローラの回転により、別々の搬送経路２２Ａ、２２Ｂに沿って搬送された原稿ＳＨ、Ｃ同士が共用搬送経路２２において衝突し、破損することを抑制することができる。
【００７９】
（２）特に、本実施形態の画像読取装置１では、各種ローラを回転させるのに用いる駆動モータＭが共用されており、駆動モータＭからの動力により、各種ローラが同時に回転する。そのため、例えば、第１搬送経路２２Ａに沿ってシート原稿ＳＨを搬送するために、各種ローラを回転させると、第２搬送経路２２Ｂ上に存在するカード原稿Ｃも同時に搬送されてしまう。そのため、第１搬送経路２２Ａに沿ってシート原稿ＳＨを搬送するための駆動モータＭと、第２搬送経路２２Ｂに沿ってカード原稿Ｃを搬送するための駆動モータＭとが別々に存在する場合に比べて、第１搬送経路２２Ａに沿って搬送されたシート原稿ＳＨと、第２搬送経路２２Ｂに沿って搬送されたカード原稿Ｃとが共用搬送経路２２において衝突し易い。
【００８０】
本実施形態の画像読取装置１では、導入口５、７及び搬送経路２２Ａ、２２Ｂに原稿ＳＨ、Ｃが残っていると判断される場合には、画像読取装置１の電源をオフさせず、画像読取装置１の起動時及び電源オフ時における各種ローラの回転により原稿ＳＨ、Ｃを搬送させない。そのため、上記構造の画像読取装置１でも、原稿ＳＨ、Ｃ同士が衝突することを抑制することができる。
【００８１】
（３）本実施形態の画像読取装置１では、導入口５、７及び搬送経路２２Ａ、２２Ｂに原稿ＳＨ、Ｃが残っていると判断される場合には、原稿ＳＨ、Ｃを搬送させない。そのため、搬送経路２２Ａ、２２Ｂに原稿ＳＨ、Ｃが残っていると判断される場合には、装置により原稿ＳＨ、Ｃを除去するのではなく、使用者により原稿ＳＨ、Ｃを除去させる。これにより、そのため、装置により装置から原稿ＳＨ、Ｃを除去する場合に比べて、確実に装置から原稿ＳＨ、Ｃを除去することができる。
【００８２】
（４）使用者から画像読取装置１に入力される電源オフ命令は、原稿ＳＨ、Ｃの読取処理中に入力されることもあれば、使用者からの画像読取命令の待機中に入力されることもある。本実施形態の画像読取装置１では、原稿ＳＨ、Ｃの読取処理中に電源オフ命令が入力された場合には、直ちに原稿ＳＨ、Ｃの読み取り及び搬送を停止させる。これにより、原稿ＳＨ、Ｃ同士が衝突することが抑制されるとともに、使用者が搬送を望まない原稿ＳＨ、Ｃが搬送経路２２Ａ、２２Ｂに沿って搬送されてしまった場合に、使用者による電源オフ命令の入力以降も当該原稿ＳＨ、Ｃが搬送され続け、例えば原稿ＳＨ、Ｃが変形するのを抑制することができる。
【００８３】
（５）また、本実施形態の画像読取装置１では、使用者からの画像読取命令の待機中に電源オフ命令が入力された場合でも、導入口５、７に原稿ＳＨ、Ｃが残っているかを確認する。これにより、原稿ＳＨ、Ｃの読取処理中に電源オフ命令が入力された場合にのみ導入口５、７及び搬送経路２２Ａ、２２Ｂに原稿ＳＨ、Ｃが残っているかを確認する場合に比べて、原稿ＳＨ、Ｃ同士が衝突することを確実に抑制することができる。
【００８４】
（６）本実施形態の画像読取装置１では、使用者からの画像読取命令の待機中に電源オフ命令が入力された場合であって、導入口５、７に原稿ＳＨ、Ｃが残っていることが確認された場合、表示部２８を用いて導入口５、７から原稿ＳＨ、Ｃを取り除く旨を表示する。具体的には、カードＦセンサ６２を用いてカード導入口５にカード原稿Ｃが残っていることが確認された場合、表示部２８を用いてカード導入口５からカード原稿Ｃを取り除く旨を表示する。また、シートＦセンサ６１を用いてシート導入口７にシート原稿ＳＨが残っていることが確認された場合、表示部２８を用いてシート導入口７からシート原稿ＳＨを取り除く旨を表示する。そして、これに応じて使用者が対応する導入口５、７の原稿ＳＨ、Ｃを取り除くことで、画像読取装置１の起動時及び電源オフ時に先立って導入口５、７から原稿ＳＨ、Ｃを取り除くことができる。
【００８５】
特に、本実施形態の画像読取装置１では、表示部２８として機能するタッチパネル２６が装置前面側に設けられている一方、カード導入口５が装置後面側に設けられいる。そのため、タッチパネル２６を用いて処理を実行する使用者がカード導入口５に挿入されたカード原稿Ｃに気が付きにくい。本実施形態の画像読取装置１では、カード原稿Ｃが挿入されたままである場合には、カード導入口５を指定してカード原稿Ｃを取り除く旨を表示するので、使用者がカード原稿Ｃの取り除き忘れに気が付くことができる。
【００８６】
（７）さらに、本実施形態の画像読取装置１では、使用者からの画像読取命令の待機中に電源オフ命令が入力された場合であって、導入口５、７に原稿ＳＨ、Ｃが残っていることが確認された場合、導入口５、７から原稿ＳＨ、Ｃが取り除かれた後に、再度、電源オフ命令が入力されなければ、装置の電源がオフされない。そのため、使用者は、導入口５、７から原稿ＳＨ、Ｃを取り除いたことを認識しながら、確実に、画像読取装置１の電源をオフすることができる。
【００８７】
＜他の実施形態＞
本発明は上記記述及び図面によって説明した実施形態に限定されるものではなく、例えば次のような種々の態様も本発明の技術的範囲に含まれる。
（１）上記実施形態では、スキャナ機能を有する画像読取装置１を用いて説明を行ったが、本発明はこれに限られず、プリンタ機能やコピー機能、ファクシミリ機能等の他の機能を備えた複合機に適用されても良い。更には、スキャナ機能を備えていなくてもよい。本発明は、一部が共用する少なくとも２つの搬送経路２２Ａ、２２Ｂを用いて原稿を搬送する装置であれば、上記の機能を必ずしも有していなくてもよい。
【００８８】
（２）上記実施形態では、画像読取装置１がＣＰＵ１４を有する及びＡＳＩＣ１１を有し、このＣＰＵ１４が必要に応じてＡＳＩＣ１１内のハード回路を用いて画像読取処理等の各種処理を実行する制御部が構成される例を用いて説明を行ったが、本発明はこれに限られない。例えば、ＣＰＵがＡＳＩＣとは別体として存在し、このＣＰＵにより制御部が実行する処理が実行されてもよければ、ＡＳＩＣ内にＣＰＵが存在せず、ＡＳＩＣに設けられたハード回路により制御部が実行する処理が実行されてもよい。さらには、単数又は複数のＣＰＵ及びＡＳＩＣによって、制御部が実行する処理を実行していてもよい。
【００８９】
（３）また、ＣＰＵ１４が実行するプログラムは必ずしもＲＯＭ１２に記憶されている必要はなく、ＣＰＵ１４自身に記憶されていてもよければ、他の記憶装置に記憶されていても良い。
【００９０】
（４）上記実施形態では、画像読取装置１の前面側にタッチパネル２６が設けられ、シート導入口７が画像読取装置１の上部に設けられ、カード導入口５が画像読取装置１の後面側に設けられる例を用いて説明を行ったが、本発明はこれに限られない。シート導入口７が画像読取装置１の後面側に設けられ、カード導入口５が画像読取装置１の上部に設けられてもよければ、シート導入口７とカード導入口５のいずれもが画像読取装置１の後面側に設けられてもよい。
【００９１】
（５）上記実施形態では、使用者からの画像読取命令の待機中に電源オフ命令が入力された場合であって、導入口５、７に原稿ＳＨ、Ｃが残っていることが確認された場合、導入口５、７から原稿ＳＨ、Ｃが取り除かれた後に、再度、電源オフ命令が入力されなければ、装置の電源がオフされない例を用いて説明を行ったが、本発明はこれに限られない。例えば、使用者からの画像読取命令の待機中に電源オフ命令が入力された場合であって、導入口５、７に原稿ＳＨ、Ｃが残っていることが確認された場合、Ｆセンサ６１、６２を用いて導入口５、７から原稿ＳＨ、Ｃが取り除かれたことが検出された状態が規定時間以上継続したならば、使用者による再度の電源オフ命令の入力を必要とせずに装置の電源がオフされてもよい。
【符号の説明】
【００９２】
１：画像読取装置、４：シート排出口、５：カード導入口、６：カード排出口、７：シート導入口、１６：電源スイッチ検出回路、１７：低圧電源部、１８：電源供給部、２０：給紙ローラ、２２：共用搬送経路、２２Ａ：搬送経路、２２Ｂ：搬送経路、２３：搬送ローラ、２７：搬送部、３０：電源スイッチ、６１：シートＦセンサ、６２：カードＦセンサ、６３：シートＲセンサ、６４：カードＲセンサ、Ｃ：カード原稿、ＳＨ：シート原稿、
【図１】
2015002521.tif 000003
【図２】
2015002521.tif 000004
【図３】
2015002521.tif 000005
【図４】
2015002521.tif 000006
【図５】
2015002521.tif 000007
【図６】
2015002521.tif 000008
【図７】
2015002521.tif 000009